(57)【要約】      （修正有）【課題】かき氷或いはアイスクリームを選択して製造できる同軸ブレーキ式製氷機を提供する。【解決手段】製氷機本体及び駆動モジュールを備える。製氷機本体は駆動モード切替機構２２及びパワー装置２３を含む。駆動モード切替機構２２は支持座２２１と、同軸ブレーキリング２２５と、パワー出力ロッドと、制動キットと、駆動盤２２８とで構成される。氷製品の基体収納ボックスに収納される氷製品の基体がソフト氷製品の基体である場合、パワー装置２３によりパワー出力ロッドが制御されてネジ穴の案内により下に向けて推進される。氷製品の基体収納ボックスに収納される氷製品の基体がハ−ド氷製品の基体である場合、パワー装置２３によりパワー出力ロッドが制御されて同軸ブレーキリング２２５が連動されて回転を行うと共にネジ穴の案内により下に向けて推進される。【選択図】図５
0003205048.tif 000002
【実用新案登録請求の範囲】
【請求項１】
収納空間を有し、且つ出力軸穴及び２本のレールが設置され、前記出力軸穴は前記収納空間に連通され、前記２本のレールは前記出力軸穴の二側に対称に設置され、これにより氷製品の基体収納ボックスを収納させる引き出し式氷製品の基体載置具は、前記出力軸穴の下方に対応するように装設される製氷機本体と、
前記収納空間に内設される駆動モジュールとを備え、
前記駆動モジュールは、
駆動モード切替機構と、
パワー装置とを更に備え、
前記駆動モード切替機構は、
前記収納空間内に固設される支持座と、
前記支持座に回転可能に設置され、且つネジ穴を有する同軸ブレーキリングと、
スクリュー段及び駆動段を有し、前記スクリュー段は前記ネジ穴に適合するように穿設され、前記駆動段は前記スクリュー段から軸穴まで延伸されるパワー出力ロッドと、
前記支持座に設置されると共に前記同軸ブレーキリングに当接される制動キットと、
前記駆動段に取り外し可能に固着される駆動盤とをさらに含み、
前記パワー装置は、前記パワー出力ロッドに連結されて伝動されることで、前記パワー出力ロッドが連動されて第一回転速度で回転を行い、前記同軸ブレーキリングが前記パワー出力ロッドによる連動及び前記制動キットのブレーキングを同時に受けて前記第一回転速度より遅い第二回転速度で回転を行い、前記パワー出力ロッドが前記スクリュー段及び前記ネジ穴の組み合わせにより下に向けて推進され、
また、前記パワー装置が前記パワー出力ロッドを連動させての回転を停止させると、前記同軸ブレーキリングは前記制動キットのブレーキングにより前記ネジ穴及び前記スクリュー段が組み合わせられることで前記パワー出力ロッドが回転を停止させることを特徴とする同軸ブレーキ式製氷機。
【請求項２】
前記同軸ブレーキリングには、前記ネジ穴を中心として外に向けて延伸され、使用者が前記同軸ブレーキリングをロックするために使用される少なくとも１つのロック穴が更に開設されることを特徴とする、請求項１に記載の同軸ブレーキ式製氷機。
【請求項３】
前記ネジ穴は垂直に延伸され、前記ロック穴は径方向に外に向けて延伸されることを特徴とする、請求項２に記載の同軸ブレーキ式製氷機。
【請求項４】
前記駆動モード切替機構は、前記支持座に設置されると共に前記ロック穴に対してロックロッドが進入し、これにより前記同軸ブレーキリングがロックされる電磁ブレーキ部材を更に備えることを特徴とする、請求項２に記載の同軸ブレーキ式製氷機。
【請求項５】
前記駆動モジュールは、前記収納空間に内設され、且つ前記パワー装置の動力の出力の制御に用いられる制御装置を更に備えることを特徴とする、請求項１に記載の同軸ブレーキ式製氷機。
【請求項６】
前記製氷機本体は支持柱と、下部ケースと、上部ケースとを更に備え、前記下部ケースは前記支持柱に固設され、前記上部ケースは前記下部ケースに固着されて蓋をし、且つ前記下部ケースと共に包囲することで前記収納空間が形成されることを特徴とする、請求項１に記載の同軸ブレーキ式製氷機。
【請求項７】
前記支持柱に取り外し可能に設置され、カップの載置に使用されるカップホルダーを更に備えることを特徴とする、請求項６に記載の同軸ブレーキ式製氷機。
【請求項８】
前記駆動モード切替機構は、前記駆動盤が前記駆動段から取り外される際に、前記駆動段に取り外し可能に装設され、且つ前記カップ中の飲料の撹拌を行うための撹拌棒を更に備えることを特徴とする、請求項７に記載の同軸ブレーキ式製氷機。
【請求項９】
前記撹拌棒はブレイド部を更に有することを特徴とする、請求項８に記載の同軸ブレーキ式製氷機。
【請求項１０】
前記撹拌棒は導流部を更に有することを特徴とする、請求項８に記載の同軸ブレーキ式製氷機。
【考案の詳細な説明】
【技術分野】
【０００１】
本考案は、駆動モード切替機構を利用して回転棒の原点での回転或いは圧下の制御を行う同軸ブレーキ式製氷機に関する。
【背景技術】
【０００２】
一般消費者は暑気払いや空腹を癒すために、かき氷や雪花氷、アイスクリーム等の氷菓を食する。かき氷は主に、かき氷機の回転盤が駆動されると氷塊が回転されて刃に接触されることで、かき氷や雪花氷が製造され、アイスクリームはアイスクリーム機を利用して空気が混入した氷体が圧搾されることで製造される。このように、一般的なかき氷機はかき氷のみ製造でき、アイスクリームはアイスクリーム機により圧搾されることで製造されるため、単一の機種でかき氷或いはアイスクリームの製造を選択して製造することはできない。
【考案の概要】
【考案が解決しようとする課題】
【０００３】
上述したように、現在の技術では、かき氷はかき氷機のみでしか製造できず、アイスクリームはアイスクリーム機のみでしか製造できない。このため、販売店がかき氷及びアイスクリームの二種類の氷菓を同時に販売する場合、かき氷機及びアイスクリーム機を各々一台ずつ別々に準備せねばならないため、営業コストが上昇した。更には、かき氷機及びアイスクリーム機はそれぞれ、かき氷のみ或いはアイスクリームのみしか製造できないため、客の需要に基づいて弾力的に運用することができず、極めて不便であった。
【０００４】
このほか、従来のかき氷機には共に横方向ブレーキが採用され、かき氷の刃が毎回削氷する厚さ（例えば、０．０５ｍｍ）が中心軸の各ねじ山の距離（例えば、０．１ｍｍ）より短い場合、適度に減圧しなければ氷塊が圧砕される可能性がある。このため、従来のかき氷機では共に横方向ギアシステムと中心軸とが９０度垂直に交錯するようになっており、中心軸が硬い氷に当たって下に向けてスムーズに削れない場合、横方向ギアが連動されて回転を行うことで、減圧機能を達成させている。しかしその欠点は、中心軸とギアとが９０度で交錯しており、衝撃力が大きく、騒音が発生し、且つ中心軸が摩損し易い点である。
【０００５】
現在の技術を鑑みると、かき氷及びアイスクリームはかき氷機及びアイスクリーム機によりそれぞれ製造される。このため、大部分の販売店では通常かき氷或いはアイスクリームのみを販売しており、販売店がかき氷及びアイスクリームを同時に販売する場合、かき氷機及びアイスクリーム機を少なくとも各一台ずつ準備せねばならず、非常に不便であり、コストも増加した。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものであり、その目的とすることは、同軸ブレーキ式製氷機を提供することにある。
【課題を解決するための手段】
【０００８】
上述した課題を解決し、目的を達成するために、本考案に係る同軸ブレーキ式製氷機は、製氷機本体及び駆動モジュールを備える。製氷機本体は収納空間を有すると共に出力軸穴及び２本のレールが設置され、出力軸穴は収納空間に連通され、２本のレールは出力軸穴の二側に対称に設置され、これにより氷製品の基体収納ボックスを収納させる引き出し式氷製品の基体載置具は、前記出力軸穴の下方に対応するように装設される。
【０００９】
また、駆動モジュールは収納空間に内設され、且つ駆動モード切替機構及びパワー装置を備える。駆動モード切替機構は支持座と、同軸ブレーキリングと、パワー出力ロッドと、制動キットと、駆動盤とを含む。支持座は収納空間内に固設される。
【００１０】
同軸ブレーキリングは支持座に回転可能に設置され、且つネジ穴を有する。パワー出力ロッドはスクリュー段及び駆動段を有し、スクリュー段はネジ穴に適合するように穿設され、駆動段はスクリュー段から軸穴まで延伸され、且つ駆動段の末端には駆動盤固着穴が開設される。制動キットは支持座に設置されると共に同軸ブレーキリングに当接される。駆動盤は駆動段に取り外し可能に固着される。
【００１１】
パワー装置はパワー出力ロッドに連結されて伝動されることで、パワー出力ロッドが連動されて第一回転速度で回転を行い、前記同軸ブレーキリングが前記パワー出力ロッドによる連動及び前記制動キットのブレーキングを同時に受けて前記第一回転速度より遅い第二回転速度で回転を行い、前記パワー出力ロッドが前記スクリュー段及び前記ネジ穴の組み合わせにより下に向けて推進される。
【００１２】
前記パワー装置が前記パワー出力ロッドを連動させて回転を停止させると、前記同軸ブレーキリングは前記制動キットのブレーキングにより前記ネジ穴及び前記スクリュー段が組み合わせられることで前記パワー出力ロッドが回転を停止させる。
【００１３】
本考案の好ましい実施形態同軸ブレーキ式製氷機において、同軸ブレーキリングには、前記ネジ穴を中心として外に向けて延伸され、使用者が前記同軸ブレーキリングをロックするために使用される少なくとも１つのロック穴が更に開設される。好ましくは、前記ネジ穴は垂直に延伸され、前記ロック穴は径方向に外に向けて延伸される。このほか、前記駆動モード切替機構は、前記支持座に設置されると共に前記ロック穴に対してロックロッドが進入し、これにより前記同軸ブレーキリングがロックされる電磁ブレーキ部材を更に備える。
【００１４】
本考案の好ましい実施形態同軸ブレーキ式製氷機において、前記駆動モジュールは、前記収納空間に内設され、且つ前記パワー装置の動力の出力の制御に用いられる制御装置を更に備える。
【００１５】
本考案の好ましい実施形態同軸ブレーキ式製氷機において、同軸ブレーキ式製氷機は、支持柱と、下部ケースと、上部ケースとを更に備え、前記下部ケースは前記支持柱に固設され、前記上部ケースは前記下部ケースに固着されて蓋をし、且つ前記下部ケースと共に包囲することで前記収納空間が形成される。
【００１６】
好ましくは、同軸ブレーキ式製氷機は、前記支持柱に取り外し可能に設置され、カップの載置に使用されるカップホルダーを更に備える。また、前記駆動モード切替機構は、前記駆動盤が前記駆動段から取り外される際に、前記駆動段に取り外し可能に装設され、且つ前記カップ中の飲料の撹拌を行うための撹拌棒を更に備える。このほか、前記撹拌棒はブレイド部及び導流部を更に有する。
【考案の効果】
【００１７】
上述したように、先行技術ではかき氷機及びアイスクリーム機を使用して、かき氷及びアイスクリームを別々に製造しなければならないのに比べて、本考案で提供する同軸ブレーキ式製氷機は、パワー装置によりかき氷モード或いはアイスクリームモードを切り換えて製造できるため、使用者の需要に応じてかき氷或いはアイスクリームを選択して製造できる。このほか、本考案は同軸ブレーキリングを更に有するため、同軸ブレーキリングの同軸での制動によりパワー出力ロッドの回転速度が有効的に制御可能になる。
【図面の簡単な説明】
【００１８】
【図１】本考案の第１好ましい実施形態による同軸ブレーキ式製氷機を示す外観斜視図である。
【図２】本考案の第１好ましい実施形態による同軸ブレーキ式製氷機を示す展開図である。
【図３】本考案の第１好ましい実施形態による同軸ブレーキ式製氷機を示す他の展開図である。
【図４】本考案の第１好ましい実施形態による駆動モジュールを示す展開図である。
【図５】図１に示すＡ―Ａ線の断面を示す概略図である。
【図６】ハ−ド氷製品の基体を設置する氷製品の基体収納機構を、氷製品の基体収納機構載置具により本考案の第１好ましい実施形態による同軸ブレーキ式製氷機に装着する平面を示す概略図である。
【図７】ハ−ド氷製品の基体を設置する氷製品の基体収納機構、氷製品の基体収納機構載置具により本考案の第１好ましい実施形態による同軸ブレーキ式製氷機に装着する平面を示す概略図である。
【図８】ソフト氷製品の基体を設置する氷製品の基体収納機構を、氷製品の基体収納機構載置具により本考案の第１好ましい実施形態による同軸ブレーキ式製氷機に装着する平面を示す概略図である。
【図９】ソフト氷製品の基体を設置する氷製品の基体収納機構を、氷製品の基体収納機構載置具により本考案の第１好ましい実施形態による同軸ブレーキ式製氷機に装着する平面を示す概略図である。
【図１０】本考案の第２好ましい実施形態による同軸ブレーキ式製氷機を示す外観斜視図である。
【図１１】本考案の第２好ましい実施形態による同軸ブレーキ式製氷機を示す展開図である。
【図１２】本考案の第２好ましい実施形態による駆動モジュールを示す展開図である。
【図１３】本考案の第２好ましい実施形態による同軸ブレーキリングを示す外観斜視図である。
【図１４】図１０に示すＣ―Ｃ線の断面を示す概略図である。
【図１５】本考案の第３好ましい実施形態による同軸ブレーキ式製氷機を示す外観斜視図である。
【図１６】本考案の第３好ましい実施形態による同軸ブレーキ式製氷機により実際に応用する平面を示す概略図である。
【考案を実施するための形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２０】
（第１実施形態）
以下、第１実施形態を図１〜５に基づいて説明する。図１は本考案の第１好ましい実施形態による同軸ブレーキ式製氷機を示す外観斜視図であり、図２は本考案の第１好ましい実施形態による同軸ブレーキ式製氷機を示す展開図であり、図３は本考案の第１好ましい実施形態による同軸ブレーキ式製氷機を示す他の展開図であり、図４は本考案の第１好ましい実施形態による駆動モジュールを示す展開図であり、図５は図１に示すＡ―Ａ線の断面を示す概略図である。
【００２１】
本考案による同軸ブレーキ式製氷機１００は、製氷機本体１と、駆動モジュール２と、引き出し式氷製品の基体載置具３とを備える。製氷機本体１は、支持柱１１と、下部ケース１２と、上部ケース１３とを含み、支持柱１１は平面（図示せず）に設置され、下部ケース１２は支持柱１１に固設され、上部ケース１３は下部ケース１２に固着されて蓋をし、且つ包囲されることで収納空間Ｓが形成される（図５参照）。また、下部ケース１２及び上部ケース１３は支持柱１１の支持により平面との距離が一定に保持される。また、下部ケース１２には出力軸穴１２１、モーター軸穴１２２及び２本のレール１２３（図には１つのみ図示する）が開設され、出力軸穴１２１及びモーター軸穴１２２は間隔を空けて設置されると共に収納空間Ｓに連通され、２本のレール１２３は出力軸穴１２１の二側に対称に設置される。このほか、下部ケース１２はさらにバックル部材１２４ａが設置される。
【００２２】
駆動モジュール２は固定用基板２１と、駆動モード切替機構２２と、パワー装置２３と、伝動キット２４と、制御装置２５とを備える。
【００２３】
さらに、固定用基板２１は収納空間Ｓに内設されると共に下部ケース１２に固着され、且つ固定用基板２１には溝２１１及び貫通穴２１２が開設される。駆動モード切替機構２２は固定用基板２１に設置され、且つ支持座２２１と、回転子軸受２２２と、回転子２２３と、２つのブレーキリング軸受２２４（図には１つのみ図示する）と、同軸ブレーキリング２２５と、パワー出力ロッド２２６と、２つの制動キット２２７（図には１つのみ図示する）と、駆動盤２２８とを備える。
【００２４】
支持座２２１は固定用基板２１に固設されると共に溝２１１の上方に対称に位置され、且つ支持座２２１には貫通穴２２１１及び２つの制動用孔２２１２（図には１つのみ図示する）が開設される。貫通穴２２１１は垂直に下に向けて延伸され、２つの制動用孔２２１２は水平に延伸されて設置される。回転子軸受２２２は溝２１１に設置され、回転子２２３は回転子軸受２２２に設置されると共に支持座２２１と回転子軸受２２２との間に位置される。２つのブレーキリング軸受２２４は回転子２２３に設置され、同軸ブレーキリング２２５は２つのブレーキリング軸受２２４の間に位置され、同軸ブレーキリング２２５の上下二側が２つのブレーキリング軸受２２４により支持されて保護される。このほか、同軸ブレーキリング２２５はネジ穴２２５１を有する。
【００２５】
パワー出力ロッド２２６はスクリュー段２２６１及び駆動段２２６２を有し、スクリュー段２２６１はネジ穴２２５１に適合するように穿設され、駆動段２２６２は一体成形によりスクリュー段２２６１から下に向けて延伸されると共に軸穴１２１まで穿通され、且つ駆動段２２６２の軸穴１２１に穿通される末端には駆動盤固着穴２２６２１が開設され、駆動盤固着穴２２６２１にはボルト２２６２２が挿設される。
【００２６】
２つの制動キット２２７は２つの制動用孔２２１２にそれぞれ設置され、且つ２つの制動キット２２７はブレーキネジ２２７１と、ブレーキディスク２２７２と、スプリング２２７３とを各々備え、ブレーキネジ２２７１は制動用孔２２１２に穿設されて回転可能に螺接され、ブレーキディスク２２７２は支持座２２１に内設されると共に同軸ブレーキリング２２５に当接され、スプリング２２７３はブレーキディスク２２７２とブレーキネジ２２７１との間に設置される。これにより、ブレーキネジ２２７１の支持によりブレーキディスク２２７２が弾性により当接されて同軸ブレーキリング２２５に接触される。また、使用者はブレーキネジ２２７１が制動用孔２２１２に緊結される程度を調節することでブレーキディスク２２７２が同軸ブレーキリング２２５に当接される力量が調節される。
【００２７】
駆動盤２２８はボルト２２６２２及び駆動盤固着穴２２６２１を介して駆動段２２６２の末端に固着され、且つ駆動盤２２８は６つの一方向噛合構成２２８１及び中心部位置決めテーパ構造２２８２を有する。６つの一方向噛合構成２２８１は均一に周設され、中心部位置決めテーパ構造２２８２は６つの一方向噛合構成２２８１の間の中心箇所に位置される。
【００２８】
パワー装置２３は固定用基板２１に設置されると共に貫通穴２１２に対応され、且つパワー装置２３はパワー出力軸２３１を有し、パワー出力軸２３１は貫通穴２１２及びモーター軸穴１２２から穿通される。伝動キット２４は第一伝動盤２４１と、第二伝動盤２４２と、伝動ベルト２４３とを備え、第一伝動盤２４１は駆動段２２６２に干渉するように貫設されると共に固定用基板２１と駆動盤２２８との間に位置される。実際の運用では、先ず第一伝動盤２４１が駆動段２２６２に干渉するように貫設された後、駆動盤２２８が駆動段２２６２の末端に固定される。
【００２９】
制御装置２５は固定用基板２１に設置され、使用者がパワー装置２３の動力出力モードを制御するために使用される。実際の運用では、制御装置２５はパワー装置２３及び制御パネル（図示せず）に電気的に接続され、これにより、使用者がパワー装置２３の動力の出力の制御を行える。
【００３０】
図６及び図７はハ−ド氷製品の基体を設置する氷製品の基体収納機構を、氷製品の基体収納機構載置具により本考案の第１好ましい実施形態による同軸ブレーキ式製氷機に装着する平面を示す概略図である。氷製品の基体収納機構載置具２００は載置具フレーム２０１及び製品出力口２０２を有し、載置具フレーム２０１は２本のレール１２３に対応され、これにより、氷製品の基体収納機構載置具２００は製氷機本体１に交換可能に装設され、バックル部材１２４により固定される。本実施形態において、氷製品の基体収納機構３００内にはハ−ド氷製品の基体４００が装設され、ハ−ド氷製品の基体４００とは氷塊等であり、氷製品の基体収納機構３００は駆動盤２２８に対応される上蓋３０１を有する。このため、パワー出力ロッド２２６が回転すると、駆動盤２２８によりハ−ド氷製品の基体４００が連動されて回転を行い、ハ−ド氷製品の基体４００が氷製品の基体収納機構載置具２００の底部のブレイド（図示せず）に接触されて製品出力口２０２から落下して氷菓が形成される。
【００３１】
図８及び図９はソフト氷製品の基体を設置する氷製品の基体収納機構を、氷製品の基体収納機構載置具により本考案の第１好ましい実施形態による同軸ブレーキ式製氷機に装着する平面を示す概略図である。本考案による同軸ブレーキ式製氷機１００は、氷製品の基体収納機構載置具２００ａが引き出し方式で装設され、氷製品の基体収納機構載置具２００ａは同様に載置具フレーム２０１ａを利用して２本のレール１２３に交換可能に装設され、バックル部材１２４ａにより固定され、且つ氷製品の基体収納機構載置具２００ａは氷製品の基体収納機構３００ａの載置に使用される。氷製品の基体収納機構３００ａ内にはソフト氷製品の基体４００ａが装設され、ソフト氷製品の基体４００ａとはアイスクリーム等である。また、アイスクリームは圧搾されるのみで製品が出力されるため、氷製品の基体収納機構載置具２００ａの底部には製品出力口２０２ａのみが設置され、ブレイドは未設置であり、氷製品の基体収納機構３００ａの上蓋３０１ａにも駆動盤２２８に干渉する構造が未設置である。実際の操作上、使用者はブレーキネジ２２７１を緊結させることでブレーキディスク２２７２が同軸ブレーキリング２２５に緊密に当接されて同軸ブレーキリング２２５が回転しなくなる。パワー装置２３によりパワー出力ロッド２２６が連動されて回転を行うと、スクリュー段２２６１はネジ穴２２５１のねじ山に従って下に向けて推進されて、アイスクリームが製品出力口２０２ａから圧搾されて出てくる。
【００３２】
（第２実施形態）
以下、第２実施形態を図１０〜１４に基づいて説明する。図１０は本考案の第２好ましい実施形態による同軸ブレーキ式製氷機を示す外観斜視図であり、図１１は本考案の第２好ましい実施形態による同軸ブレーキ式製氷機を示す展開図であり、図１２は本考案の第２好ましい実施形態による駆動モジュールを示す展開図であり、図１３は本考案の第２好ましい実施形態による同軸ブレーキリングを示す外観斜視図であり、図１４は図１０に示すＣ―Ｃ線の断面を示す概略図である。
【００３３】
本考案による同軸ブレーキ式製氷機１００ａは、製氷機本体１ａと、駆動モジュール２ａと、引き出し式氷製品の基体載置具３ａとを備える。
【００３４】
製氷機本体１ａは支持柱１１ａと、下部ケース１２ａと、上部ケース１３ａとを備え、支持柱１１ａは平面（図示せず）に設置され、下部ケース１２ａは支持柱１１ａに固設され、上部ケース１３ａは下部ケース１２ａに固着されて蓋をし、且つ包囲されることで収納空間（図示せず）が形成される。また、下部ケース１２ａ及び上部ケース１３ａは支持柱１１ａの支持により平面との距離を一定に保持させる。下部ケース１２ａには出力軸穴（図示せず）、モーター軸穴（図示せず）及び２本のレール１２３ａ（図には１つのみ図示する）が開設され、出力軸穴（図示せず）及びモーター軸穴（図示せず）は間隔を空けて設置されると共に収納空間に連通され、２本のレール１２３ａは出力軸穴（図示せず）の二側に対称に設置される。このほか、上部ケース１３ａには２つのラック１３１ａが更に設置される（図示せず）。
【００３５】
駆動モジュール２ａは固定用基板２１ａと、駆動モード切替機構２２ａと、パワー装置２３ａと、伝動キット２４ａと、制御装置２５ａとを備える。
【００３６】
固定用基板２１ａは収納空間内に設置されると共に下部ケース１２ａに固着され、且つ固定用基板２１ａには溝２１１ａ及び貫通穴２１２ａが開設される。駆動モード切替機構２２ａは固定用基板２１ａに設置され、且つ支持座２２１ａと、回転子軸受２２２ａと、回転子２２３ａと、２つのブレーキリング軸受２２４ａ（図には１つのみ図示する）と、同軸ブレーキリング２２５ａと、パワー出力ロッド２２６ａと、２つの制動キット２２７ａ（図には１つのみ図示する）と、駆動盤２２８ａと、電磁ブレーキ部材２２９ａとを備える。
【００３７】
支持座２２１ａは固定用基板２１ａに固設されると共に溝２１１ａの上方に対称に位置され、且つ支持座２２１ａには貫通穴２２１１ａ、２つの制動用孔２２１２ａ（図には１つのみ図示する）及びブレーキ孔２２１３ａが開設される。貫通穴２２１１ａは垂直に下に向けて延伸され、２つの制動用孔２２１２ａは水平に延伸されて設置され、ブレーキ孔２２１３ａは同様に水平に設置されるが、但し、２つの制動用孔２２１２ａの延伸方向に対して垂直になる。回転子軸受２２２ａは溝２１１ａに設置され、回転子２２３ａは回転子軸受２２２ａに設置されると共に支持座２２１ａと回転子軸受２２２ａとの間に位置される。２つのブレーキリング軸受２２４ａは回転子２２３ａに設置され、同軸ブレーキリング２２５ａは２つのブレーキリング軸受２２４ａの間に位置され、同軸ブレーキリング２２５ａの上下二側が２つのブレーキリング軸受２２４ａにより支持されて保護される。このほか、同軸ブレーキリング２２５ａはネジ穴２２５１ａ及び複数のロック穴２２５２ａを有し、ロック穴２２５２ａはネジ穴２２５１ａを中心として周設される。
【００３８】
パワー出力ロッド２２６ａはスクリュー段２２６１ａ及び駆動段２２６２ａを有し、スクリュー段２２６１ａはネジ穴２２５１ａに適合するように穿設され、駆動段２２６２ａは一体成形によりスクリュー段２２６１ａから下に向けて延伸されると共に軸穴１２１ａまで穿通され、且つ駆動段２２６２ａは軸穴１２１ａに穿通される末端に駆動盤固着穴２２６２１ａが開設され、駆動盤固着穴２２６２１ａにはボルト２２６２２ａが挿設される。
【００３９】
２つの制動キット２２７ａは２つの制動用孔２２１２ａにそれぞれ設置され、且つ２つの制動キット２２７ａはブレーキネジ２２７１ａと、ブレーキディスク２２７２ａと、スプリング２２７３ａとを各々備え、ブレーキネジ２２７１ａは制動用孔２２１２ａに穿設されて回転可能に螺接され、ブレーキディスク２２７２ａは支持座２２１ａに内設されると共に同軸ブレーキリング２２５ａに当接され、スプリング２２７３ａはブレーキディスク２２７２ａとブレーキネジ２２７１ａとの間に設置される。これにより、ブレーキネジ２２７１ａの支持によりブレーキディスク２２７２ａが同軸ブレーキリング２２５ａに弾性により当接され、且つ同軸ブレーキリング２２５ａとの間に静摩擦力を発生させる。また、使用者がブレーキネジ２２７１ａを制動用孔２２１２ａに緊結させる程度を調節することで、ブレーキディスク２２７２ａが同軸ブレーキリング２２５ａに当接される力量の調節が可能である。
【００４０】
駆動盤２２８ａはボルト２２６２２ａ及び駆動盤固着穴２２６２１ａにより駆動段２２６２ａの末端に固着され、且つ駆動盤２２８ａは６つの一方向噛合構成２２８１ａ及び中心部位置決めテーパ構造２２８２ａを有し、６つの一方向噛合構成２２８１ａは均一に周設され、中心部位置決めテーパ構造２２８２ａは６つの一方向噛合構成２２８１ａの間の中心箇所に位置される。
【００４１】
電磁ブレーキ部材２２９ａはブレーキ孔２２１３ａに設置され、且つロック穴２２５２ａに対してロックロッド２２９１ａが進入するようになる。その中に、ロックロッド２２９１ａは移動ストローク（図示せず）を有し、且つ移動ストロークはブレーキ位置及びアンロック位置をさらに含み、ロックロッド２２９１ａが使用者の制御により、ブレーキ位置を移動させると、ロックロッド２２９１ａがロック穴２２５２ａに進入させ、同軸ブレーキリング２２５ａがロックさせ、同軸ブレーキリング２２５ａが固定されて回転しなくなる。
【００４２】
パワー装置２３ａは固定板２１３ａにより固定用基板２１ａに設置されると共に貫通穴２１２ａに対応され、且つパワー装置２３ａはパワー出力軸２３１ａを有し、パワー出力軸２３１ａは貫通穴２１２ａ及びモーター軸穴１２２ａから穿通される。伝動キット２４ａは第一伝動盤２４１ａと、第二伝動盤２４２ａと、伝動ベルト２４３ａとを備え、第一伝動盤２４１ａは駆動段２２６２ａに干渉するように貫設されると共に固定用基板２１ａと駆動盤２２８ａとの間に位置される。実際の運用では、先ず第一伝動盤２４１ａが駆動段２２６２ａに干渉するように貫設された後、駆動盤２２８ａが駆動段２２６２ａの末端に固定される。
【００４３】
制御装置２５ａは上部ケース１３ａに設置され、使用者がパワー装置２３ａの動力出力モードを制御するために使用される。制御装置２５ａは検知素子２５１ａ及び制御パネル２５２ａを備え、これにより、使用者は制御パネル２５２ａを使用してパワー装置２３ａの動力の出力を制御でき、且つ検知素子２５１ａを使用してパワー出力ロッド２２６ａが下に向けて推進される程度を検知させ、パワー出力ロッド２２６ａの移動位置をより精確に制御できるようになる。
【００４４】
上述したように、本実施形態の同軸ブレーキ式製氷機１００ａと上述の第１好ましい実施形態で提供される同軸ブレーキ式製氷機１００との間の差異は、主に同軸ブレーキリング２２５ａが複数のロック穴２２５２ａを更に有し、支持座２２１ａはより多くのブレーキ孔２２１３ａにより電磁ブレーキ部材２２９ａが装設される点である。これにより、使用者がパワー出力ロッド２６ａを全力で下に向けて推進させる場合、電磁ブレーキ部材２２９ａを制御させてロック穴２２５２ａに対してロックロッド２２９１ａを延出させ、同軸ブレーキリング２２５ａの回転を停止させる。この際、パワー出力ロッド２６ａのスクリュー段２２６１ａがネジ穴２２５１ａのねじ山に従って回転を行って直接下に向けて推進され、パワー装置２３ａから送出される動力が同軸ブレーキリング２２５ａとブレーキディスク２２７２ａとの間の摩擦に消耗されなくなる。
【００４５】
（第３実施形態）
以下、第３実施形態を図１５及び図１６に基づいて説明する。図１５は本考案の第３好ましい実施形態による同軸ブレーキ式製氷機を示す外観斜視図であり、図１６は本考案の第３好ましい実施形態による同軸ブレーキ式製氷機を実際に応用する平面を示す概略図である。
【００４６】
同軸ブレーキ式製氷機１００ｂは上述の同軸ブレーキ式製氷機１００及び１００ａに相似し、その差異は、同軸ブレーキ式製氷機１００ｂがカップホルダー３ｂを更に備え、且つ駆動モード切替機構（図示せず）が撹拌棒２２８ｂを更に備える点のみである。カップホルダー３ｂは製氷機本体１ｂの支持柱１１ｂに取り外し可能に装設され、且つカップホルダー３ｂには開口部３１ｂが開設されてカップ５００の載置に用いられる。撹拌棒２２８ｂは駆動盤２２８が駆動段２２６２から取り外される際に、駆動段２２６２に取り外し可能に装設され、且つカップ５００中の飲料の撹拌に使用される。また、撹拌棒２２８ｂはブレイド部２２８１ｂ及び導流部２２８２ｂを更に有し、ブレイド部２２８１ｂはカップ５００内の果物等の物品の粉砕に使用され、導流部２２８２ｂはカップ５００内の液体を導流させて渦流を発生させることで、撹拌を加速させて均一にする効果を達成させる。
【００４７】
結論として、先行技術ではかき氷及びアイスクリームの製造に二種類の機器を準備せねばならなかったのに比べ、本考案で提供する同軸ブレーキ式製氷機は、主に同軸ブレーキリングがパワー出力ロッドのスクリュー段に同軸で覆設されることで、使用者が同軸ブレーキリングの制御を行うのみで、パワー出力ロッドが異なる動力モードに切り換えられる。例えば、使用者がかき氷を製造する場合、制動キットを同軸ブレーキリングに当接させるのみでパワー出力ロッドが回転する際に発生させる圧力が減少され、氷塊が硬すぎるためにパワー出力ロッドが膠着してしまうのを防ぐ。使用者がアイスクリームを製造する場合、制動キットにより同軸ブレーキリングをロックするのみで、或いは電磁ロックを利用して固定用部材及びロック穴が組み合わせられて同軸ブレーキリングをロックすることで、パワー出力ロッドがネジ穴内のねじ山に従って全力で圧下されてアイスクリームが絞り出される。
【００４８】
このほか、本考案はカップホルダー及び撹拌棒を更に有し、氷菓の製造以外に、飲料の撹拌や果物等の物品の切削にも使用できる。
【００４９】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００５０】
１００、１００ａ、１００ｂ  同軸ブレーキ式製氷機
１、１ａ、１ｂ  製氷機本体
１１、１１ａ、１１ｂ  支持柱
１２、１２ａ  下部ケース
１２１  出力軸穴
１２２  モーター軸穴
１２３、１２３ａ  レール
１２４、１２４ａ  バックル部材
１３、１３ａ  上部ケース
１３１ａ  ラック
２、２ａ  駆動モジュール
２１、２１ａ  固定用基板
２１１、２１１ａ  溝
２１２、２１２ａ  貫通穴
２１３ａ  固定板
２２、２２ａ  駆動モード切替機構
２２１、２２１ａ  支持座
２２１１、２２１１ａ  貫通穴
２２１２、２２１２ａ  制動用孔
２２１３ａ  ブレーキ孔
２２２、２２２ａ  回転子軸受
２２３、２２３ａ  回転子
２２４、２２４ａ  ブレーキリング軸受
２２５、２２５ａ  同軸ブレーキリング
２２５１、２２５１ａ  ネジ穴
２２５２ａ  ロック穴
２２６、２２６ａ  パワー出力ロッド
２２６１、２２６１ａ  スクリュー段
２２６２、２２６２ａ  駆動段
２２６２１、２２６２１ａ  駆動盤固着孔
２２６２２、２２６２２ａ  ボルト
２２７、２２７ａ  制動キット
２２７１、２２７１ａ  ブレーキネジ
２２７２、２２７２ａ  ブレーキディスク
２２７３、２２７３ａ  スプリング
２２８、２２８ａ  駆動盤
２２８ｂ  撹拌棒
２２８１、２２８１ａ  一方向噛合構成
２２８２、２２８２ａ  中心部位置決めテーパ構造
２２８１ｂ  ブレイド部
２２８２ｂ  導流部
２２９ａ  電磁ロック固定用部材
２２９１ａ  ロックロッド
２３、２３ａ  パワー装置
２３１、２３１ａ  パワー出力軸
２４、２４ａ  伝動キット
２４１、２４１ａ  第一伝動盤
２４２、２４２ａ  第二伝動盤
２４３、２４３ａ  伝動ベルト
２５、２５ａ  制御装置
２５１ａ  検知素子
２５２ａ  制御パネル
３ｂ  カップホルダー
３１ｂ  開口部
２００、２００ａ  氷製品の基体収納機構載置具
２０１、２０１ａ  載置具フレーム
２０２、２０２ａ  製品出力口
３００、３００ａ  氷製品の基体収納機構載
３０１、３０１ａ  上蓋
４００  ハ−ド氷製品の基体
４００ａ  ソフト氷製品の基体
５００  カップ
Ｓ  収納空間
【図１】
0003205048.tif 000003
【図２】
0003205048.tif 000004
【図３】
0003205048.tif 000005
【図４】
0003205048.tif 000006
【図５】
0003205048.tif 000007
【図６】
0003205048.tif 000008
【図７】
0003205048.tif 000009
【図８】
0003205048.tif 000010
【図９】
0003205048.tif 000011
【図１０】
0003205048.tif 000012
【図１１】
0003205048.tif 000013
【図１２】
0003205048.tif 000014
【図１３】
0003205048.tif 000015
【図１４】
0003205048.tif 000016
【図１５】
0003205048.tif 000017
【図１６】
0003205048.tif 000018